(57)【要約】【課題】換気装置を設けなくても汚染化学物質及び臭気を吸着・分解し、湿気による結露の発生を防止できるとともに、吸着した汚染化学物質・湿気を再度放出してしまうことがない建築物構成部材用塗布材を提供する。【解決手段】建築物構成部材に塗布する建築物構成部材用塗布材であって、海洋性ミネラル、菌類及び微生物を含んだ水と畜尿とを混合した原料液Ｌ１と、珪藻土で構成される核と、カーボン、フェライト及びゼオライトで構成される中間層と、珪藻土及びゼオライトで構成される外層とからなる活性剤を前記原料液Ｌ１に混入して培養ないし精製された活性化液２２と、を含んだ構成とした。【選択図】　図１
2004081698.tif 000002
【特許請求の範囲】
【請求項１】
建築物構成部材に塗布する建築物構成部材用塗布材であって、
海洋性ミネラル、菌類及び微生物を含んだ水と畜尿とを混合した原料液と、
珪藻土で構成される核と、カーボン、フェライト及びゼオライトで構成される中間層と、珪藻土及びゼオライトで構成される外層とからなる活性剤を前記原料液に混入して培養ないし精製された活性化液と、
前記活性化液を希釈する希釈液と、
を含んだことを特徴とする建築物構成部材用塗布剤。
【請求項２】
前記活性化液には、多孔質物質が混入されていることを特徴とする請求項１に記載の建築物構成部材用塗布剤。
【請求項３】
前記活性化液には、接着剤が混入されていることを特徴とする請求項１又は２に記載の建築物構成部材用塗布剤。
【発明の詳細な説明】
【０００１】
【発明の属する技術分野】
本発明は、建築物における室内及び構造躯体内の汚染化学物質や臭気などを吸着し分解する建築物構成部材用塗布剤に関する。
【０００２】
【従来の技術】
従来では、我国のシックハウス対策で主流となっている建材・塗料・内装材などでは、汚染化学物質であるホルムアルデヒト、ＶＯＣ（トルエン、キシレン、エチルベンゼン、スチレンなど）を出来る限り発生しない素材を用いたり、または吸着して一時的に濃度を低下させる素材を用いて製造されていた。
【０００３】
ところが、近年、建材及び家具や住宅設備機器などにホルムアルデヒトを用いず、ＶＯＣの発生も抑制した製品が多く販売されるようになったが、その中にもいまだ基準値を上回るものがあったり、防腐剤やシロアリ駆除剤、防虫剤、掃除薬剤、農薬、ワックス、芳香剤などによる内外部からの汚染物質の侵入が避けられない状況である。
【０００４】
一方、核家族化による住居内で家族の一員としてペットを飼う生活様式が定着し始めており、また、高齢化社会に伴う介護を必要とする老人などとの生活の中で「臭い」の問題も重要視されている。
【０００５】
近年の建物の住環境は、高断熱・高気密化によりこれらの問題がさらにクローズアップされ、汚染化学物質によるシックハウス対策や高気密化に伴う湿気による結露対策として、換気装置を設けてこれらを強制的に外部に排出している。
【０００６】
しかし、換気装置を設けても、入居者が換気装置の作動を行わなかったり、換気装置が故障したり、入居者が長期外出することなどにより換気装置の電源を切った場合には、化学汚染物質・臭気・湿気が室内に停滞する問題がある。
特に、室内に湿気が停滞すると、ダニの発生や結露によるカビの発生を促進し、住環境を悪化させる原因となる。さらに、構造躯体内に湿気が停滞・蓄積されると、腐朽菌やカビなどの発生により木材の腐食が生ずる問題がある。
【０００７】
ここで、汚染化学物質・臭気・湿気対策などの技術分野では、珪藻土、貝殻の粉末、活性炭、消石灰などの多孔質を利用して吸着性を高めた素材開発が行われている。
【０００８】
しかし、吸着性能を高めても飽和状態となった場合、吸着した化学汚染物質・湿気を再度放出してしまう問題がある。
【０００９】
【発明が解決しようとする課題】
そこで、本発明は、上記事情に鑑みて成されたものであり、特に換気装置を設けなくても汚染化学物質及び臭気を吸着・分解し、湿気による結露の発生を防止できるとともに、吸着した汚染化学物質・湿気を再度放出してしまうことがない建築物構成部材用塗布剤を提供することを目的とする。
【００１０】
【課題を解決するための手段】
本発明は、上記課題を解決するため、以下の手段を採用する。
請求項１に記載の建築物構成部材用塗布剤では、建築物構成部材に塗布する建築物構成部材用塗布材であって、海洋性ミネラル、菌類及び微生物を含んだ水と畜尿とを混合した原料液と、珪藻土で構成される核と、カーボン、フェライト及びゼオライトで構成される中間層と、珪藻土及びゼオライトで構成される外層とからなる活性剤を前記原料液に混入して培養ないし精製された活性化液と、前記活性化液を希釈する希釈液と、を含んだことを特徴とする。
【００１１】
本発明の建築物構成部材用塗布剤（以下、適宜「塗布剤」と略称する。）を構成する原料液では、海洋性ミネラル、菌類及び微生物を含んだ水と畜尿とが混合されているため、ミネラルによる酵素反応によって、畜尿に含まれる有機物群の腐敗を防止し、且つ混合液中の微生物に腐敗菌が出ないように制御される。
なお、菌類として、土着菌及び通性嫌気性菌が好ましい。
また、原料液中の有機物と微生物群が例えば土着菌という菌類に触れ、微生物は有機物を餌にしてどんどん増殖し、さらにミネラルで微生物が活性化される。ミネラルで活性化された微生物は、さらに例えば通性嫌気性菌によって一段と強化される。
ここで、活性剤によりミネラル効果が一層持続し、水と微生物菌叢の安定化を図る上で空間エネルギーを電磁波として吸収し放散するため、高エネルギーの活性化液が培養ないし精製される。この活性化液は、希釈液により希釈される。
以上のように、上記活性化液は、有機栽培に用いることによる作物の生育向上や化学肥料や農薬の無害化による連作障害の克服、酪農の飲み水として用いることによる家畜の発育促進及びその家畜から採取される牛乳、卵、肉質の向上、家畜の糞尿及び堆肥に散布さることによる消臭剤など、すでに多くに利用されている。
そこで、本発明では、かかる活性化液の有害物質及び臭いの分解作用に着目し、全く分野の異なる建築分野においてこの活性化液を建築物構成部材に塗布することにより、いわゆるシックハウス対策としての効果を実験等により発見したものである。
すなわち、従来技術において説明したように、建築物構成部材からは汚染化学物質であるホルムアルデヒトやＶＯＣ（トルエン、キシレン、エチルベンゼン、スチレンなど）が発生し、室内に充満する。
ここで、本発明の建築構成部材用塗布剤を建築物構成部材に塗布することにより、建築物構成部材から発生したホルムアルデヒトやＶＯＣを塗布剤により分解させることができる。また、室内に漂う生活臭を塗布剤により吸収することができる。
この結果、特に換気装置を設けなくても、塗布剤によりホルムアルデヒトやＶＯＣを分解することができるため、室内にホルムアルデヒトやＶＯＣが充満することを防止することができる。このため、従来のように換気装置の作動や故障などにより室内にホルムアルデヒトやＶＯＣが充満することを防止できる。
また、本発明の建築構成部材用塗布剤では、吸着した汚染化学物質を分解しているため、塗布剤が飽和状態に至らず、従来のように汚染化学物質を再度放出してしまうという問題が生じない。
【００１２】
請求項２に記載の建築物構成部材用塗布剤では、請求項１に記載の建築物構成部材用塗布剤であって、前記活性化液には、多孔質物質が混入されていることを特徴とする。
【００１３】
本発明の建築物構成部材用塗布剤によれば、活性化液には多孔質物質が混入されているため、この多孔質物質によりホルムアルデヒトやＶＯＣ、生活臭をより効果的に吸着、吸収させることができる。
一方、室内の湿気も塗布剤の多孔質物質で吸収することができる。このため、室内の湿気が建築物構成部材に吸収されることを防止できる。この結果、室内での結露の発生を効果的に防止できるとともに、建築物構成部材の腐朽及びカビ、ダニの発生を効果的に防止することができる。
なお、多孔質物質として、珪藻土、貝殻の粉末、活性炭、消石灰、蛭石、パーライトなどが好ましい。
【００１４】
請求項３に記載の建築物構成部材用塗布剤では、請求項１又は２に記載の建築物構成部材用塗布剤であって、前記活性化液には、接着剤が混入されていることを特徴とする。
【００１５】
本発明の建築物構成部材用塗布剤によれば、接着剤が混入されているため、塗布剤に接着効果を持たせることができる。このため、建築物構成部材の形状に関係なく塗布剤を塗布できると同時に、この塗布剤によりホルムアルデヒトやＶＯＣ、生活臭を吸着・分割させることができ、さらには室内の湿気を吸収させることにより建築物構成部材への湿気の侵入を阻止することができる。
なお、接着剤は有害物質を含まないものが好ましい。
【００１６】
【発明の実施の形態】
次に、本発明の実施形態の建築物構成部材用塗布剤について、図面を参照して説明する。
【００１７】
本実施形態の建築物構成部材用塗布剤（以下、適宜「塗布剤」と略称する。）は、建築物構成部材に塗布するためのものである。
【００１８】
先ず、本発明の塗布剤の構成について説明する。
【００１９】
本発明の塗布剤は、海洋性ミネラル、菌類及び微生物を含んだ水と畜尿とを混合した混合液に、珪藻土で構成される核と、カーボン、フェライト及びゼオライトで構成される中間層と、珪藻土及びゼオライトで構成される外層とからなる活性剤を混入して培養ないし精製されたミネラル・酵素・菌類・水から成る活性化液に、さらに多孔質物質及び接着剤（バインダー）を混入して構成されている。
【００２０】
なお、上記菌類として、土着菌及び通性嫌気性菌が好ましい。
土着菌として、特に、土壌、池の泥等にいる菌や乳酸菌が適切である。
通性嫌気性菌として、特に、放線菌、光合成細菌、乳酸菌、糸状菌、酵母類のバクテリアなどが適切である。
さらに、多孔質物質として、珪藻土、貝殻の粉末、活性炭、消石灰、蛭石、パーライトなどが好ましい。
【００２１】
ここで、活性剤について説明する。
【００２２】
活性剤は、カーボン、珪藻土、フェライト及びゼオライトからなる成形物又は珪藻土から成る成形物を、１５０〜２５０℃で１０〜２０時間一時焼成し、次いで６００〜９００℃で４〜２４時間二次焼成したものである。成形物は、板、球、その他の任意の形状とすることができるが、通常は球である。球の場合は、核、一層以上の中間層、多孔質外層とから構成されている。
【００２３】
活性剤は、上記したように、珪藻土で構成される核と、導電性カーボン、フェライト及びゼオライトで構成される中間層と、珪藻土及びゼオライトで構成される多孔質外層とから構成されているが、中間層に混合されているフェライトは、天然の堆積作用によるマグネタイト（ＦＥ３Ｏ４）とマグへマイト（γ−ＦＥ２Ｏ３）である。
【００２４】
活性剤は、超波長（１０４Ｈｚ）〜Ｘ線（１０１９Ｈｚ）、特に６０〜２００ＭＨｚの電磁波を吸収し（それよりも短い波長の電磁波は個数を増やすことによって吸収し）、位相の揃った干渉性の良い電磁波を放射し、４〜１０μｍの波長の遠赤外線を放射し、ミネラル成分を溶出し、不純物を吸着する作用を有し、水分子のクラスターを小さくする。
【００２５】
ここで、上記塗布剤の製造方法について説明する。
【００２６】
先ず、活性化液精製工程について説明する。
【００２７】
図１に示すように、原料槽Ｐで原料液Ｌ１の成分を混合攪拌すると、ミネラルによる酵素反応によって原料液中の有機物群の腐敗を防止し、且つ原料液中の微生物に腐敗菌が出ないようにする。ミネラルによる酵素反応がうまく進行しないと、腐敗臭が漂う。
【００２８】
ここで、上記原料液Ｌ１として、蛋白質、セルロース、糖蜜、澱粉、炭水化物、動植物油脂及び動物尿の少なくとも１種以上のものと市販のミネラル液を含有し、微生物を混入した混合液が適切である。
【００２９】
上記攪拌された原料液Ｌ１は、第１反応槽１０に注がれる。第１反応槽１０では、その地域の土着菌（図示省略）を入れた容器１２と、通性嫌気性菌（図示省略）を入れた容器１４と、活性剤（図示省略）が封入された容器１６と、が原料液中に浸るように吊るされた状態で、２０日〜３０日間エアレーションが行われる。
【００３０】
第１反応槽１０の内部では、原料液中の有機物と微生物群とがその地域の土着菌に触れ、微生物が有機物を餌飼としてさらに増殖し、さらにミネラルにより微生物が活性化される。ここで、その地域の土着菌を使うのは、その地域の微生物を活性化し、増殖させるためである。
【００３１】
また、ミネラルで活性化した原料液では、通性嫌気性菌の混入によって、一段と強化された微生物群が残る。活性剤がミネラル効果を一層持続させ、水と微生物菌の安定化を図る上で空間エネルギーを電磁波として吸収し放射するため、高エネルギーの混合液が残る。なお、第１反応槽１０の内部の混合溶液のｐＨは、８．４である。
【００３２】
第１反応槽中のミネラル、有機物、通性嫌気性菌及び土着菌が２０〜３０日間の反応で十分馴染み、その高エネルギーの混合溶液が第２反応槽１８に注がれる。そして、それが２０〜３０日間の第２反応槽１８の反応でさらに馴染む。なお、第２反応槽１８の内部の混合溶液のｐＨは、８．８である。
なお、第２反応槽１８の内部にも活性剤（図示省略）が封入された容器１６が混合液中に浸るように吊るされている。
【００３３】
第２反応槽１８では、ミネラル、土着菌及び活性剤と生成する有機酸によって、一般細菌は激減し、糸状菌群が増える。そして、第２反応槽内部の混合溶液が第３反応槽２０に注がれる。
なお、第３反応槽２０の内部にも活性剤（図示省略）が封入された容器１６が混合液中に浸るように吊るされている。
【００３４】
第３反応槽２０では、さらに１５〜３０日間馴染ませると、放射菌と酵母菌（これらは何れもその地域の土着菌群）が増殖し、糸状菌は殆どいなくなる。
【００３５】
第３反応槽２０では、これら菌群と水に活性剤からの電磁波としての波動エネルギーを十分に受け取り、著しく活性化した混合液（活性化液）ができ上がる。この混合液は、ミネラル、放線菌群、酵母、水から成り、しかも空間エネルギーを十分吸収している。
なお、第３反応槽２０の内部の混合溶液のｐＨは、９．１である。
【００３６】
第３反応槽２０の混合液は、一旦、貯溜槽Ｑに注がれる。
【００３７】
貯溜槽Ｑに注がれた混合液は、さらに希釈槽Ｒに注がれる。
【００３８】
希釈槽Ｒでは、混合液が水（希釈液）により約５００倍〜１５００倍に希釈される。なお、希釈槽Ｒの内部においても、活性剤（図示省略）が封入された容器１６が吊るされており、希釈槽Ｒの内部の混合液にさらにエネルギーが与えられる。
【００３９】
なお、各槽Ｐ、１０、１８、２０、ＲをポンプＰにより随時通気攪拌している。
【００４０】
以上のように生成された混合液は、活性化液２２として次工程に用いられる。
【００４１】
なお、上記活性化液２２は農業分野などですでに周知の技術（「コクブ式　生命活性化液　システム」で使用，國分農場有限会社製）であり、上記活性剤もすでに周知のもの（商品名「みね丸くん」，國分農場有限会社製）である。
【００４２】
次に、多孔質物質混入工程について説明する。
【００４３】
多孔質物質混入工程においては、希釈槽Ｒの内部の活性化液２２が別の第１混入槽（図示省略）に注がれ、そこで上記活性化液に多孔質物質が混入される。
【００４４】
なお、多孔質物質として、珪藻土、貝殻の粉末、活性炭、消石灰、ひる石、パーライトのいずれか１つ以上が適切である。
【００４５】
以上の各工程により、塗布剤が製造される。
【００４６】
次に、本発明の建築物構成部材用塗布材の作用及び効果について説明する。
【００４７】
本発明の塗布剤は、以下に示す建築物構成部材に塗布又は混入される。
【００４８】
例えば、塗布剤は、建築物の構造躯体である基礎材、軸組材、下地木材及び床・壁・屋根の合板等に塗布される。
なお、塗布剤は液体状のものなので、塗布対象物の大きさ・形状等の影響を受けず、塗布することができる。
【００４９】
また、上記塗布剤は、内装仕上げ材にも塗布される。
例えば、塗布剤は、下地石膏ボードや合板の上に塗布される。
なお、特に塗布剤に天然素材や無機質材による顔料を混入することにより、仕上り時のカラーリングを実現させることができる。
【００５０】
また、塗布剤を、予め、板状断熱材、合板、石膏ボード、パーティクルボードなどに混入させることもできる。
【００５１】
また、塗布剤を内装壁材にも塗布又は混入させることができる。
例えば、塗布剤を、壁紙、ビニルクロス、布クロス、仕上げ合板、ムク羽目板などに混入又は塗布させることもできる。
【００５２】
また、塗布剤を床仕上げ材に塗布又は混入させることができる。
例えば、塗布剤を化粧フロアー、コルク床材、塩化ビニルシート、フローリングなどに混入又は塗布させることもできる。
【００５３】
以上のように、上記活性化液精製工程において精製された活性化液２２は、現在において、有機栽培に用いることによる作物の生育向上や化学肥料や農薬の無害化による連作障害の克服、酪農の飲み水として用いることによる家畜の発育促進及びその家畜から採取される牛乳、卵、肉質の向上、家畜の糞尿及び堆肥に散布さることによる消臭剤など、すでに多くに利用されている。
【００５４】
そこで、本発明では、かかる活性化液２２の有害物質及び臭いの分解作用に着目し、全く分野の異なる建築分野においてこの活性化液を建築物構成部材に塗布する建築物構成部材用塗布剤として用いることにより、いわゆるシックハウス対策としての効果を実験等により発見したものである。
【００５５】
すなわち、上記各建築物構成部材には汚染化学物質であるホルムアルデヒトやＶＯＣが少なからず含まれているが、本発明の塗布剤を塗布することにより、上記建築物構成部材から発生するホルムアルデヒトやＶＯＣを塗布剤により吸着し分解することができる。この結果、居住者などに悪影響を及ぼすことを防止できる。
【００５６】
また、住居内の生活臭も、上記塗布剤により吸着・分解することができる。
【００５７】
また、本発明の塗布剤を建築物構成部材に塗布又は混入することにより、いわゆる結露対策にも効果的なものとなる。
【００５８】
つまり、塗布剤には多孔質物質が混入されているので、塗布剤により住居内の湿気を吸収することができる。これにより、住居内の湿気が建築物構成部材の内部に吸収されることがない。また、建築構成部材内部の湿気を塗布剤に吸収させることもできる。この結果、生活空間における湿気による結露、カビ、ダニなどの発生や、建築物構成部材内部の湿気による腐朽菌、カビなどの発生を抑制することができる。
【００５９】
特に、本発明の塗布剤を使用することにより、従来のように換気設備を設ける必要がないため、換気設備の故障など換気設備の悪影響を受けることがなく、上記効果を継続することができる。
【００６０】
なお、本発明の建築構成部材用塗布剤では、吸着した汚染化学物質を分解しているため、塗布剤が飽和状態に至らず、従来のように汚染化学物質を再度放出してしまうという問題が生じない。
【００６１】
次に、本発明の一実施形態とは別形態の建築物構成部材用塗布材について説明する。
【００６２】
本形態の塗布材では、上記した活性化液精製工程及び多孔質物質混入工程で製造された活性化液を別の第２混入層（図示省略）に注ぎ、第２混入層内部で接着剤が混入される。
【００６３】
これにより、上記作用及び効果に加え、塗布剤に接着機能を持たせることができる。
【００６４】
かかる塗布剤をクロスや塩化ビニルシート・カーペットなどに塗布することにより、上記した各建材に接着することができるとともに、上記したシックハウス対策機能も得ることができる。
【００６５】
（試験例）
次に、本発明の塗布剤を用いた試験例について説明する。
【００６６】
木造２階建モデルハウスを建造し、本発明の建築物構成部材用塗布剤を用いて下記内容のシックハウス対策活性化工法を実施した。
【００６７】
シックハウス対策活性化工法では、本発明の一実施形態にかかる塗布剤（活性化液＋希釈液＋珪藻土＋接着剤）をべた基礎の内側コンクリート全面に塗布した。
また、本発明の一実施形態にかかる塗布剤を外壁部の構造用合板の内側に塗布した。
また、活性炭を混入した塗布剤を床下全体に吹き付けた。
また、本発明の一実施形態にかかる塗布剤を小屋裏の野地合板（屋根の合板）・垂木などの小屋裏側全面に塗布した。
さらに、本発明の一実施形態にかかる塗布剤を床下地合板の表面に塗布した。また、本発明の一実施形態にかかる塗布剤を天井野縁（天井組みする部材）及び天井石膏ボードの裏面にも塗布した。
また、本発明の一実施形態にかかる塗布剤を外壁石膏ボードの裏面に塗布した。
【００６８】
室内汚染物質の測定方法として、木造２階建モデルハウスを建造完成して２日後に、ホルムアルデヒト、ＶＯＣ（トルエン、キシレン、エチルベンゼン、スチレン）をモデルハウスの外部（外気）、居間（１階）、寝室（２階）でそれぞれ１回目の測定した。
また、木造２階建モデルハウスを建造完成して４０日後に、居間のみで２回目の測定をした。
さらに、木造２階建モデルハウスを建造完成して４３日後に、居間のみで３回目の測定をした。
なお、測定は、厚生労働省医務局審査管理課化学物質安全対策室による「室内空気汚染に係るガイドライン及び測定マニュアルに準じて行った。
【００６９】
この試験結果は、以下の表１に示すようになった。
【００７０】
【表１】
2004081698.tif 000003
なお、表１中の＜０．００１は、検知限界以下を示す。
また、表１中の指針値とは、厚生省の平成１２年６月３０日（生衛発第１０９３号）及び平成１２年１２月２２日に定めた安全基準値である。
【００７１】
本試験の結果は、上表１に示す通り、１回目の測定では、ＶＯＣのトルエン以外は全て指針値を下回っていることが判明し、トルエン以外では一般的な測定結果と比較しても建物完成時における数値が極端に低くなっていた。
【００７２】
一方、トルエンにおいては、１回目の測定では、指針値を大幅に上回ったものの、２回目の測定では激減し、さらに３回目の測定では指針値を大きく下回り激減していることが判明した。
【００７３】
以上の試験結果により、本発明の建築物構成部材用塗布剤を建築物構成部材に用いることにより、汚染化学物質を確実に吸着し、分解して減少させているものと判断できる。
【００７４】
【発明の効果】
以上説明した本発明の建築物構成部材用塗布剤においては以下の効果を奏する。
【００７５】
請求項１記載の発明では、特に換気装置を設けなくても、塗布剤によりホルムアルデヒトやＶＯＣを分解することができるため、室内にホルムアルデヒトやＶＯＣが充満することを防止することができる。このため、従来のように換気装置の作動や故障などにより室内にホルムアルデヒトやＶＯＣが充満することを防止できる。
また、本発明の建築構成部材用塗布剤では、吸着した汚染化学物質を分解しているため、塗布剤が飽和状態に至らず、従来のように汚染化学物質を再度放出してしまうという問題が生じない。
【００７６】
請求項２記載の発明では、活性化液には多孔質物質が混入されているため、この多孔質物質によりホルムアルデヒトやＶＯＣ、生活臭をより効果的に吸着、吸収させることができる。
一方、室内の湿気も塗布剤の多孔質物質で吸収することができる。このため、室内の湿気が建築物構成部材に吸収されることを防止できる。この結果、室内での結露の発生を効果的に防止できるとともに、建築物構成部材の腐食及びカビ、ダニの発生を効果的に防止することができる。
【００７７】
請求項３記載の発明では、接着剤が混入されているため、塗布剤に接着効果を持たせることができる。このため、建築物構成部材同士をこの塗布剤で接着すると同時に、この塗布剤によりホルムアルデヒトやＶＯＣ、生活臭を吸着・分割させることができ、さらには室内の湿気を吸収させることにより建築物構成部材への湿気の侵入を阻止することができる。
【図面の簡単な説明】
【図１】本発明の一実施形態の建築物構成部材用塗布剤を精製する精製工程のうち一部の工程を行う装置の構成図である。
【符号の説明】
２２　　活性化液
Ｌ１　　原料液
【図１】
2004081698.tif 000004
【手続補正書】
【提出日】平成15年3月5日(2003.3.5)
【手続補正１】
【補正対象書類名】明細書
【補正対象項目名】特許請求の範囲
【補正方法】変更
【補正の内容】
【特許請求の範囲】
【請求項１】
建築物構成部材に塗布する建築物構成部材用塗布剤であって、
珪藻土で構成される核と、カーボン、フェライト及びゼオライトで構成される中間層と、珪藻土及びゼオライトで構成される外層とからなる活性剤から、電磁波を受け取ることで活性化された、ミネラル、放線菌群、酵母、水を含む活性化液と、
珪藻土、貝殻の粉末、活性炭、消石灰、ひる石、パーライトのいずれか１つ以上からなる多孔質物質と、
を含んだことを特徴とする建築物構成部材用塗布剤。
【請求項２】
前記活性化液には、接着剤が混入されていることを特徴とする請求項１に記載の建築物構成部材用塗布剤。
【手続補正２】
【補正対象書類名】明細書
【補正対象項目名】００１０
【補正方法】変更
【補正の内容】
【００１０】
【課題を解決するための手段】
本発明は、上記課題を解決するため、以下の手段を採用する。
請求項１に記載の建築物構成部材用塗布剤では、建築物構成部材に塗布する建築物構成部材用塗布剤であって、珪藻土で構成される核と、カーボン、フェライト及びゼオライトで構成される中間層と、珪藻土及びゼオライトで構成される外層とからなる活性剤から、電磁波を受け取ることで活性化された、ミネラル、放線菌群、酵母、水を含む活性化液と、珪藻土、貝殻の粉末、活性炭、消石灰、ひる石、パーライトのいずれか１つ以上からなる多孔質物質と、を含んだことを特徴とする。


【手続補正３】
【補正対象書類名】明細書
【補正対象項目名】００１２
【補正方法】削除
【補正の内容】
【手続補正４】
【補正対象書類名】明細書
【補正対象項目名】００１４
【補正方法】変更
【補正の内容】
【００１４】
請求項２に記載の建築物構成部材用塗布剤では、請求項１に記載の建築物構成部材用塗布剤であって、前記活性化液には、接着剤が混入されていることを特徴とする。


【手続補正５】
【補正対象書類名】明細書
【補正対象項目名】００１５
【補正方法】変更
【補正の内容】
【００１５】
本発明の建築物構成部材用塗布剤によれば、接着剤が混入されているため、塗布剤に接着効果を持たせることができる。このため、建築物構成部材の形状に関係なく塗布剤を塗布できると同時に、この塗布剤によりホルムアルデヒトやＶＯＣ、生活臭を吸着・分解させることができ、さらには室内の湿気を吸収させることにより建築物構成部材への湿気の侵入を阻止することができる。
なお、接着剤は有害物質を含まないものが好ましい。


【手続補正６】
【補正対象書類名】明細書
【補正対象項目名】００７６
【補正方法】変更
【補正の内容】
【００７６】
また、活性化液には多孔質物質が混入されているため、この多孔質物質によりホルムアルデヒトやＶＯＣ、生活臭をより効果的に吸着、吸収させることができる。
一方、室内の湿気も塗布剤の多孔質物質で吸収することができる。このため、室内の湿気が建築物構成部材に吸収されることを防止できる。この結果、室内での結露の発生を効果的に防止できるとともに、建築物構成部材の腐食及びカビ、ダニの発生を効果的に防止することができる。


【手続補正７】
【補正対象書類名】明細書
【補正対象項目名】００７７
【補正方法】変更
【補正の内容】
【００７７】
請求項２記載の発明では、接着剤が混入されているため、塗布剤に接着効果を持たせることができる。このため、建築物構成部材同士をこの塗布剤で接着すると同時に、この塗布剤によりホルムアルデヒトやＶＯＣ、生活臭を吸着・分解させることができ、さらには室内の湿気を吸収させることにより建築物構成部材への湿気の侵入を阻止することができる。